(57)【要約】記録媒体を上書きの方法の実施形態において、記録媒体上に書き込むためのデータが、記録媒体のユーザデータ領域の記録された部分上に書かれることになるならば、記録媒体の未記録部分は、データを記録するための置き換え部分として選択され、このデータは置き換え部分に記録される。
2008503851.tif 000002
【特許請求の範囲】
【請求項１】
記録媒体の上書き方法であって、
前記記録媒体上に記録するデータが、前記記録媒体内のユーザデータ領域の記録された部分に記録されることになるか否かを判断するステップと、
前記判断するステップが、前記データが前記ユーザデータ領域の記録された部分に書き込まれることになると判断する場合に、前記データを記録するための置き換え部分として、前記記録媒体の未記録部分を選択するステップと、
前記判断するステップが、前記データが前記ユーザデータ領域の記録された部分に書き込まれることになると判断する場合に、前記置き換え部分の前記データを記録するステップと
を備えたことを特徴とする記録媒体の上書き方法。
【請求項２】
前記選択するステップは、前記置き換え部分として、前記記録媒体の前記ユーザデータ領域の未記録部分を選択することを特徴とする請求項１に記載の方法。
【請求項３】
前記選択するステップは、前記ユーザデータ領域の未記録部分を確認するために、管理領域からの管理情報にアクセスすることを特徴とする請求項２に記載の方法。
【請求項４】
前記選択するステップは、前記ユーザデータ領域の前記未記録部分内で、クラスタの開始として前記置き換え部分の始まりを判断することを特徴とする請求項２に記載の方法。
【請求項５】
前記ユーザデータ領域は、複数の記録領域に分割され、
前記選択するステップは、前記置き換え部分として記録領域の未記録部分を選択する
ことを特徴とする請求項１に記載の方法。
【請求項６】
前記記録領域は、連続的にデータが記録する個々であることを特徴とする請求項５に記載の方法。
【請求項７】
前記選択するステップは、前記記録領域の未記録部分を判断するために、管理領域からの管理情報へアクセスすることを特徴とする請求項５に記載の方法。
【請求項８】
前記記録された部分を含む前記記録領域が記録に利用可能である場合、前記選択するステップは、前記置き換え部分として前記記録された部分を含む前記記録領域の未記録部分を選択することを特徴とする請求項５に記載の方法。
【請求項９】
前記記録された部分を含む前記記録領域が記録にオープンの状態を有する場合、前記記録された部分を含む前記記録領域は利用可能であることを特徴とする請求項８に記載の方法。
【請求項１０】
前記記録された部分を含む前記記録領域が記にオープンの状態を有するかどうか決定するために、前記選択するステップは、管理領域からの管理情報にアクセスすることを特徴とする請求項９に記載の方法。
【請求項１１】
前記管理情報は、各記録領域の状態を示し、各状態は、関連した記録領域が記録にオープンであるかどうかを示すことを特徴とする請求項１０に記載の方法。
【請求項１２】
前記記録された部分を含む前記記録領域が記録にオープンの状態を有し、前記データを格納するのに充分な大きさの未記録部分を含む場合、前記記録された部分を含む前記記録領域は、記録に利用可能であることを特徴とする請求項９に記載の方法。
【請求項１３】
前記選択するステップは、前記記録された部分を含む前記記録領域が記録にオープンの状態を有するかどうか、及び前記記録された部分を含む前記記録領域が記録にオープンであるかどうかを判断するために、管理領域からの管理情報へアクセスし、前記管理情報は、前記記録領域の最後に記録されたアドレスを示し、前記選択するステップは、
前記記録された部分を含む前記記録領域が前記データを格納するのに十分な大きさの未記録部分を含むかを判断するために、前記最後に記録されたアドレスへアクセスすることを特徴とする請求項１２に記載の方法。
【請求項１４】
前記記録された部分を含む前記記録領域が記録に利用可能である場合、前記選択するステップは、前記データの記録を開始するための次の書き込みアドレスを、前記記録部分を含む前記記録領域のための前記最後に記録されたアドレスに続く最初のクラスタの始めと判断することを特徴とする請求項１３に記載の方法。
【請求項１５】
前記記録された部分を含む前記記録領域が記録に利用可能でない場合、前記選択するステップは、前記記録された部分を含む前記記録領域と異なる記録領域の未記録部分を選択することを特徴とする請求項１２に記載の方法。
【請求項１６】
前記記録された部分を含む前記記録領域が記録に利用可能でない場合、前記選択するステップは、前記記録された部分を含む前記記録領域と異なる記録領域の未記録部分を選択することを特徴とする請求項８に記載の方法。
【請求項１７】
前記記録された部分を含む前記記録領域が記録にクローズトの状態を有する場合、前記記録された部分を含む前記記録領域は記録に利用可能でないことを特徴とする請求項１６に記載の方法。
【請求項１８】
前記選択された記録領域は、前記記録された部分を含む前記記録領域と最も近い記録領域であることを特徴とする請求項１７に記載の方法。
【請求項１９】
前記記録された部分を含む前記記録領域が記録にクローズトの状態を有するかどうかを判断するために、前記選択するステップは、管理領域からの管理情報にアクセスすることを特徴とする請求項１７に記載の方法。
【請求項２０】
前記管理情報は、各記録領域の状態を示し、各状態は、関連する記録領域が記録にクローズトであるかどうかを示すことを特徴とする請求項１９に記載の方法。
【請求項２１】
前記記録された部分を含む前記記録領域が前記データを格納するのに充分な大きさの未記録部分を含まない場合、前記記録された部分を含む前記記録領域は、記録に利用可能でないことを特徴とする請求項１６に記載の方法。
【請求項２２】
前記管理情報は、少なくとも各記録領域の開始セクタを示し、記録にオープンの状態を有する記録領域のために、前記管理情報は、前記記録領域として、最後に記録されたアドレスを示し、
前記記録された部分を含む前記記録領域が記録にオープンである場合、前記選択するステップは、前記記録された部分を含む前記記録領域の未記録部分が、前記管理情報に基づいて、前記データを記録するのに充分な大きさであるかどうかを判断する
ことを特徴とする請求項２１に記載の方法。
【請求項２３】
前記選択するステップは、前記記録された部分を含む前記記録領域と異なる記録領域の未記録部分を選択することを特徴とする請求項５に記載の方法。
【請求項２４】
前記選択された記録領域は、前記記録された部分を含む前記記録領域に最も近い記録領域であることを特徴とする請求項２３に記載の方法。
【請求項２５】
前記記録媒体は、前記ユーザデータ領域及び少なくとも一つ以上のスペア領域を含み、
前記選択するステップは、置き換え部分として前記スペア領域の未記録部分を選択する
ことを特徴とする請求項１に記載の方法。
【請求項２６】
ランダム記録モードにおいて前記ユーザデータ領域内にデータを記録するステップをさらに備えたことを特徴とする請求項２５に記載の方法。
【請求項２７】
前記記録媒体上に書き込むためのデータが、前記記録媒体内の前記ユーザデータ領域の記録された部分に書き込まれることになるかどうかを判断するために、前記判断するステップは、前記記録媒体の管理領域内に記録された管理情報にアクセスすることを特徴とする請求項１に記載の方法。
【請求項２８】
前記ユーザデータ領域は、データの連続的な記録のために複数の記録領域に分割され、前記管理情報は、各記録領域のスタート位置を示し、各記録領域が記録にオープンであるかどうかを示し、ならびに記録にオープンな各記録領域のために前記記録領域の最後に記録されたアドレスを示すことを特徴とする請求項２７に記載の方法。
【請求項２９】
前記データが書かれることになる前記記録領域が記録にクローズトである場合、前記判断するステップは、前記記録媒体上に書くための前記データが、前記記録媒体のユーザデータ領域の記録された部分上に書かれることになるかどうかを判断することを特徴とする請求項２８に記載の方法。
【請求項３０】
前記データが書き込まれることになる前記記録領域が記録にオープンであり、前記データの記録のための開始アドレスが、前記データが書き込まれることになる前記記録領域のための前記最後に記録されたアドレスより小さい場合、前記判断するステップは、前記記録媒体上に書かれるための前期データが、前記記録媒体のユーザデータ領域の記録された部分に書かれることになるかどうかを判断することを特徴とする請求項２８に記載の方法。
【請求項３１】
前記記録媒体の管理領域内にエントリを記録するステップをさらに備え、前記エントリは、前記記録された部分の位置及び前記置き換え部分の位置を示すことを特徴とする請求項１に記載の方法。
【請求項３２】
前記エントリは、前記記録された部分の最初のセクタ及び前記置き換え部分の最初のセクタを少なくとも示すことを特徴とする請求項３１に記載の方法。
【請求項３３】
前記記録媒体の前記管理領域内に少なくとも一つのエントリを記録するステップをさらに備え、欠陥管理のための前記エントリは、前記ユーザデータ領域内の欠陥部分の位置、及び前記欠陥部分を置き換える前記記録媒体の位置を示すことを特徴とする請求項３１に記載の方法。
【請求項３４】
前記記録媒体は、追記型記録媒体であることを特徴とする請求項１に記載の方法。
【請求項３５】
記録媒体の上書き方法であって、
前記記録媒体の管理領域内に記録された管理情報にアクセスするステップであって、前記管理情報は、前記記録媒体のユーザデータ領域が現在分割される連続記録のための記録領域の数を示し、前記各記録領域の開始セクタを示し、各記録領域の状態を示し、記録にオープンの状態を有する各記録領域のために最後に記録されたアドレスを示すことを特徴とするステップと、
前記管理情報に基づいて、前記記録媒体上に書き込むためのデータが、前記記録領域のうちの一つの記録された部分上に書かれることになるかどうかを判断するステップと、
前記判断するステップが、前記データが前記記録領域の一つの記録された部分に書かれることになることを判断する場合、前記データを記録するための置き換え部分として、前記記録領域のうちの一つの未記録部分を、管理情報に基づいて選択するステップと、
前記置き換え部分内の前記データを記録するステップと
を備えたことを特徴とする記録媒体の上書き方法。
【請求項３６】
前記選択するステップは、前記記録された部分を含む前記記録領域が前記データの記録に利用可能である場合、 前記記録された部分を含む前記記録領域を選択し、前記記録された部分を含む前記記録領域が前記データの記録に利用可能でない場合、記録に利用可能な他の記録領域を選択することを特徴とする請求項３５に記載の方法。
【請求項３７】
前記データの記録の後に、前記管理情報をアップデートするステップをさらに備えたことを特徴とする請求項３５に記載の方法。
【請求項３８】
前記記録媒体は、追記型記録媒体であることを特徴とする請求項３５に記載の方法。
【請求項３９】
前記記録媒体の上書きを管理するための記録媒体上にデータ構造を記録する方法であって、
前記記録媒体上のユーザデータ領域の記録された部分にデータを上書きすることになる場合、前記記録媒体の管理領域内のエントリを格納するステップをさらに備え、前記エントリは、前記記録された部分、及び前記記録媒体の置き換え部分を示し、前記置き換え部分は前記データを格納するためであることを特徴とする方法。
【請求項４０】
前記エントリは、前記記録された部分の最初のセクタ及び置き換え部分の最初のセクタを少なくとも示すことを特徴とする請求項３９に記載の方法。
【請求項４１】
前記置き換え部分は、クラスタの始まりから開始することを特徴とする請求項３９に記載の方法。
【請求項４２】
前記置き換え部分は、前記ユーザデータ領域内であることを特徴とする請求項３９に記載の方法。
【請求項４３】
前記ユーザデータ領域は、連続記録のための複数の連続記録領域に分割され、
前記記録領域が記録に利用可能である場合、前記記録された部分及び前記置き換え部分は、同一の記録領域内であることを特徴とする請求項４２に記載の方法。
【請求項４４】
記録媒体のユーザデータ領域からのデータを読み出す方法であって、
前記記録媒体の管理領域内の管理情報にアクセスするステップであって、前記管理情報は、少なくとも1つのエントリを示し、前記エントリは、前記ユーザデータ領域の最初に記録された部分と前記ユーザデータ領域の２番目に記録された部分を示し、前記２番目に記録された部分は、前記最初に記録された部分にデータを上書きするためのデータを示すことを特徴とするステップと、
前記最初に記録された部分からデータを読み出すための命令を受信するとき、前記２番目に記録された部分からデータを読み出すステップと
を備えたことを特徴とするデータを読み出す方法。
【請求項４５】
記録媒体上にデータを記録する装置であって、
前記記録媒体上にデータを記録するよう構成されたドライバと、
前記記録媒体のユーザデータ領域上にデータを記録するための命令を受信するよう構成され、前記記録媒体上に書き込むための前記データが、前記記録媒体の前記ユーザデータ領域の記録された部分に書き込まれることになるかどうかを判断するよう構成され、前記制御部が、前記データが前記ユーザデータ領域の記録された部分上に書かれることになるかことを決定する場合、前記データを記録するための置き換え部分として前記記録媒体の未記録部分を選択するよう構成され、ならびに前記置き換え部分内に前記データを記録するための前記ドライバを制御するよう構成された前記制御部と
を備えたことを特徴とするデータを記録する装置。
【請求項４６】
記録媒体から読み出すための装置であって、
前記記録媒体からデータを再生するように構成されたドライバと、
前記記録媒体の管理領域内の管理情報にアクセスするように構成された制御部であって、前記管理領域は、少なくとも1つのエントリを示し、前記エントリは、ユーザデータ領域の最初に記録された部分と前記ユーザデータ領域の２番目に記録された部分を示し、前記２番目に記録された部分は、前記最初に記録された部分の上書きデータのためのデータを示す制御部と
を備えたことを特徴とする装置。
【請求項４７】
前記記録媒体上のデータの上書きを管理するためのデータ構造を有する記録媒体であって、
少なくとも一つ以上のエントリを格納する管理領域であって、前記エントリは、データで上書きされることになる記録媒体のユーザデータ領域の記録された部分を示し、上書きのための前記データを格納する前記ユーザデータ領域の置き換え部分を示す管理領域
を備えたことを特徴とする記録媒体。
【請求項４８】
前記記録媒体上のデータの上書きを管理するためのデータ構造を持つ記録媒体であって、
少なくとも一つ以上格納する管理領域であって、前記エントリは、前記ユーザデータ領域の最初に記録された部分と、前記ユーザデータ領域の２番目に記録された部分を示し、前記２番目に記録された部分は、前記最初に記録された部分内のデータを上書きするためのデータを含む管理領域
を備えたことを特徴とする記録媒体。
【発明の詳細な説明】
【技術分野】
【０００１】
本発明は、記録媒体並びに記録媒体に係る方法及び装置に関する。
【背景技術】
【０００２】
書き換え可能なブルーレイディスク(ＢＤ−ＲＥ：Blue-ray Rewritable disc)などの、高音質のオーディオデータ及び高画質のビデオデータを、長時間にわたって記録及び格納できる新しいタイプの高密度光ディスクが開発されている。図１に示すように、ＢＤ−ＲＥは、リードイン領域、データ領域及びリードアウト領域を有する。データゾーンの先頭及び末尾には、内部スペア領域ＩＳＡ(Inner Spare Area)及び外部スペア領域ＯＳＡ(Outer Spare Area)がそれぞれ割り当てられる。ＢＤ−ＲＥの記録単位はクラスタである。
【０００３】
図１によれば、データの記録中、データゾーン内に欠陥領域が存在するか否かを検出できる。欠陥領域が検出される場合、置き換えの記録動作が行われる。例えば、欠陥領域に記録する予定のデータをスペア領域(例えば、ＩＳＡ)に記録する。その後、検知した欠陥領域の位置情報と、スペア領域に記録された置き換えは、管理情報として、リードイン領域内に位置づけられたディスク管理領域ＤＭＡ(defect list)の欠陥リストＤＦＬ(defect list)に記録及び格納される。
【０００４】
このデータの読取り動作の間、欠陥領域のデータの代りに、ＤＦＬにアクセスすることによって、スペア領域に記録されたデータを読み出して再生する。これにより、データ記録／再生の誤りを防止する。
【発明の開示】
【発明が解決しようとする課題】
【０００５】
追記型記録可能なブルーレイディスクＢＤ−ＷＯ(write-once recordable Blue-ray disc)も開発中である。書換え可能なディスクとは異なり、追記型記録可能な光ディスクの全体領域に１度だけデータを記録することができ、光ディスクに物理的にデータを上書きすることはできない。それにも関わらず、記録されたデータを編集または部分的に修正する場合もあり得る。例えば、ホストまたはユーザの便宜のために、データの仮想的な上書きが要求されることがある。
【課題を解決するための手段】
【０００６】
記録媒体の上書き方法の実施形態において、記録媒体上に記録するためのデータが、記録媒体のユーザデータ領域の記録された部分に記録されることになるならば、記録媒体の未記録部分を、データを記録するための置き換え部分として選択し、置き換え部分にデータを記録する。
【０００７】
例えば、記録媒体のユーザデータ領域の未記録部分が代替部分として選択される。一実施形態において、ユーザデータ領域は多くの記録領域に分割され、記録領域の未記録部分が置き換え部分として選択される。一実施形態において、選択するステップは、記録された部分を含む記録領域内の未記録部分を置き換え部分として選択する。他の一実施形態において、記録された部分を含む記録領域と異なる記録領域の未記録部分が選択される。さらに他の一実施形態において、前記ユーザデータ領域と分離されるスペア領域が選択される。
【０００８】
他の実施形態において、記録媒体上に書かれるデータが、記録媒体のユーザデータ領域の記録された部分に記録されるか否かを判断するために、記録媒体の管理領域内に記録された管理情報にアクセスする。
【０００９】
さらに他の実施形態において、記録された部分の位置及び置き換え部分の位置を示すために、記録媒体の管理領域内にエントリを記録する。
【００１０】
記録媒体のユーザデータ領域からデータを読む方法の実施形態において、記録媒体の管理領域内の管理情報がアクセスされる。管理情報は、ユーザデータ領域の最初に記録された部分と、ユーザデータ領域の２番目に記録された部分を含む。２番目に記録された部分は、最初に記録された部分に上書きするデータを含む。最初に記録された部分からデータを読むためのコマンドを受信するとき、２番目に記録された部分のデータが読み出される。
【００１１】
本発明の実施形態は、本発明の方法を実行するための装置をさらに含む。
【００１２】
また、本発明の実施形態は、記録媒体上へのデータの上書きを管理するためのデータ構造を有する記録媒体に関する。この実施形態において記録媒体は、少なくとも一つのエントリを格納するための管理領域を含む。このエントリは、データが上書きされることになる記録媒体のユーザデータ領域の記録された部分を示し、上書きのためのデータを格納するユーザデータ領域の置き換え部分を示す。
【００１３】
他の実施形態において、管理領域は、ユーザデータ領域の最初に記録された部分およびユーザデータ領域の２番目に記録された部分を示す少なくとも１つのエントリを格納する。ここで２番目の記録された部分は、１番目に記録された部分にデータを上書きするためのデータを含む。
【発明を実施するための最良の形態】
【００１４】
本発明のさらなる理解を提供するために含まれ、この出願の一部を組み込まれ、構成される添付の図面は、発明の本質を説明するために提供された説明と共に、本発明の実施形態を図示する。
【００１５】
参照により、本発明の例示的実施形態への詳細な参照がなされ、これは、本発明によれば、添付の図面に示されている。図面全体において、可能な限り、同じまたは似たような部分を指すのに、同じ参照番号を使用する。
【００１６】
図２は、本発明の実施形態による追記型高密度光ディスクの論理的上書き方法を示す。同図に示すように、追記型高密度光ディスクは、リードイン領域、データ領域、及びリードアウト領域を含む。データ領域は、ＩＳＡ、ＯＳＡ、及びユーザデータ領域を含む。リードイン領域は、光ディスクへのデータ記録／再生のための多様な管理情報が記録する領域として使用される。リードイン領域は、光ディスクの欠陥管理情報及び記録管理情報を記録するための領域である、一時的ディスク管理領域(ＴＤＭＡ：Temporary Disc Management Area)で提供される場合がある。ディスクの使用中によく発生しうる記録管理情報の更新を検知し、記録管理情報のアップデートするために、スペア領域内に分離された追加のＴＤＭＡを割り当てることもできる。
【００１７】
上記の構造を有する追記型光ディスクにおいて、データの記録は、シーケンシャル記録モードＳＲＭ(Sequential Recording Mode)タイプと、ランダム記録モードＲＲＭ(Random Recording Mode)タイプの２つのタイプに分類できる。ＳＲＭタイプでは、光ディスク上のデータの記録を容易にするために、実際のユーザデータが記録されるユーザデータ領域を、記録データのために複数の連続的な記録領域に分割して記録する。分割された複数の連続的な記録領域のそれぞれを、シーケンシャル記録範囲ＳＲＲ(Sequential Recording Range)という。ＳＲＲにおけるデータの記録は、次の記録可能（または書き込み可能）な未記録クラスタ上で実行される。ＳＲＲ内の次の記録可能な未記録クラスタのアドレスを次の記録可能なアドレスＮＷＡ(Next Writable Address)という。さらに詳しくは、ＳＲＲにおいて、記録された領域の後に直接続く未記録領域はＮＷＡとなり、データの記録はＮＷＡから開始される。したがって、ＮＷＡから始まるデータの連続的な記録が実行されると、ＮＷＡはデータの記録によって動的に増加するかもしれない。
【００１８】
上記のＳＲＭ記タイプでは、記録された領域内、または一つのＳＲＲ(ＳＲＲ ＃ｎ)内の部分内の書き込み（または上書き）のためのコマンドは、ユーザまたはホストの要求によって与えられ（またはなされる）かもしれない。この場合、追記型光ディスクの特性のため、データの物理的書き込みが１回だけ実行でき、よって記録された領域のデータの書き込み（または記録）は可能でない。言い換えると、データの上書きは物理的に実行できない。本発明の実施形態によれば、記録可能な高密度光ディスクのＳＲＭタイプにおいて、記録された領域上へ上書きされることになるデータを要求する上書きコマンドが与えられると（またはなされると）、記録された部分に書かれることになるデータは、同一のＳＲＲ内のＮＷＡの代わりに、他のＳＲＲ内のＮＷＡ又はスペア領域に記録される。これを論理的上書きＬＯＷ（Logical Overwrite）という。
【００１９】
例えば、図２に示すように、特定のＳＲＲ(ＳＲＲ ＃ｎ)内の記録されたデータＡ領域のデータＢのための書き込み（または記録）コマンドが伝達されると、データＡ領域に記録されることになるデータＢは、データＡ領域を含むＳＲＲのＮＷＡである次の記録可能な領域に記録されるか、或いはスペア領域(例えば、ＯＳＡ)のいずれかに記録される。データＡ領域を含むＳＲＲのＮＷＡにデータを記録するとき、このＳＲＲ(ＳＲＲ ＃ｎ)からの次の記録可能な領域は、ＮＷＡ’となる。データの置き換え記録を実行した後、上記のように、データを上書きしようとした領域(例えば、データＡ領域)、及び置き換え記録領域(例えば、ユーザデータ領域のデータＢ領域、又はスペア領域のデータＢ領域)の位置上の情報を、ＬＯＷエントリとしてＴＤＭＡ内に記録する。
【００２０】
ＬＯＷエントリは、再割り当て欠陥ＲＡＤ(Re-Allocated Defect)タイプと、連続再割り当て欠陥ＣＲＤ(Contiguous Re-allocated Defect)タイプの２つのタイプに広く分類される。
【００２１】
ＲＡＤタイプのＬＯＷエントリは、単一のクラスタにおいて実行された論理的上書きの情報を含む。各エントリは、論理的上書きが実行される領域の最初のクラスタの１番目の物理的セクタ番号(ＰＳＮ：Physical Sector Number)と、論理的上書きの置き換え記録が実行される領域の最初のクラスタの１番目のＰＳＮを含む。一方、ＣＲＤタイプのＬＯＷエントリは、複数の連続したクラスタで実行される論理的上書き上の情報を含み、したがって２つのエントリを使用する。より詳しくは、２つのエントリのうちの１つは、論理的上書きが実行される最初のクラスタの１番目のＰＳＮと、論理的上書きの置き換え記録が実行される最初のクラスタの１番目のＰＳＮを含む。他のエントリは、論理的上書きが実行される最後のクラスタの１番目のＰＳＮと、論理的上書きの置き換え記録が実行される最後のクラスタの１番目のＰＳＮを含む。
【００２２】
したがって、上記のように、論理的上書きされた光ディスクを後の処理で再生するとき、光ディスクドライブは、ＴＤＭＡに記録されたエントリ情報を参照し、論理的上書き領域及び置き換え記録領域の情報が確認し、これにより、データＡ領域の代わりに置き換え記録データＢ領域を再生できる。ＳＲＭタイプでは、論理的上書きの置き換え記録を、スペア領域よりユーザデータ領域のＮＷＡにおいて実行することが好ましい。より詳しくは、記録可能な光ディスクにおいて、スペア領域は、欠陥管理として、欠陥領域の置き換え記録のためにも使用される。したがって、スペア領域が論理的上書きの置き換え記録のために使用される場合、不明確な利用に、ディスクの初期化の間、予め十分な範囲のスペア領域を保証しなければならないという問題がある。したがって、このような問題を避けるために、ユーザデータ領域のＮＷＡにおいて、論理的上書きの置き換え記録を実行するのが好ましいだろう。ＳＲＭタイプを使用するユーザデータ領域における論理的上書きが実行される場合、論理的上書きは、ＳＲＲがオープンされる場合およびＳＲＲがクローズトされる場合に実行できる。
【００２３】
図３は、論理的上書きが、本発明の実施形態による追記型光ディスクにおいて、オープンＳＲＲ上で行われる例を示す。ＳＲＭにおいて、オープンＳＲＲとは、未記録ＳＲＲ又はいくらかの記録できる領域（たとえば、未記録部分）が残っているＳＲＲのことをいう。オープンＳＲＲはＮＷＡを有する。クローズトＳＲＲは、ＳＲＲにおいて記録可能な朗生きがもはや残っていないまたは存在しないこと、或いは未記録領域または部分が残っていても、ＳＲＲがクローズト状態へ変わり、ユーザまたはホストからの要求によってももはや許可できないことをいう。したがって、ＮＷＡは、クローズトＳＲＲには存在しない。図３によれば、記録された領域のための上書きコマンドがオープンＳＲＲのために受け取られるとき、置き換え記録は、オープンＳＲＲの任意で実行できる。言い換えると、記録データＡ領域上の上書きデータＢのためのコマンドが、オープンＳＲＲ(ＳＲＲ ＃ｎ)のために受け取られると、データＡ領域上に記録されることになるデータＢは、データＡ領域を含むＳＲＲのＮＷＡで開始して置き換え記録されるか、或いは、任意の他のオープンＳＲＲのＮＷＡで開始して置き換え記録されるかのいずれかである。
【００２４】
図４は、本発明の実施形態による追記型光ディスクにおいて、クローズとＳＲＲ上で実行される論理的上書きの例を示す。図４によれば、ホストによって与えられる（またはなされる）書き込みコマンドが、クローズトＳＲＲの記録された領域上の上書きコマンドである場合、クローズトＳＲＲはＮＷＡを含まないため、置き換え記録はオープンＳＲＲにおいて実行される。このとき、クローズトＳＲＲの記録された領域上にデータを上書きする場合、置き換え記録をスペア領域内で実行することも可能である。より詳しくは、置き換え記録は、オープンＳＲＲのＮＷＡで開始して、又はＯＳＡなどのスペア領域内で実行される。クローズトＳＲＲのために、置き換え記録を、ユーザデータ領域の代わりにスペア領域で特に実行することができる。
【００２５】
上述のように、ＳＲＭにおける追記型高密度光ディスクの論理的上書きは、ＮＷＡにて実行される。一実施形態として、最大１６個までのＳＲＲを割り当てることができ、したがって、最大１６個までのＮＷＡも含むことができる。以下、本発明の実施形態によるＮＷＡ選択方法を、図５を参照して詳細に説明する。
【００２６】
図５は、本発明の実施形態による追記型光ディスクのシーケンシャル記録モードの論理的上書きの間のＮＷＡ選択方法を示す。図５によれば、追記型高密度光ディスクのユーザデータ領域内に複数の連続記録範囲（ＳＲＲ）を割り当てることができる。そしてこの実施形態において、最大１６個のＳＲＲを割り当てることができ、各オープンＳＲＲは次の記録可能な領域を示すＮＷＡを含む。
【００２７】
この実施形態によると、存在可能な複数のＮＷＡのために、上書きコマンドが記録された領域上へ上書きされることになるデータを要求する場合、置き換え記録は上書きされることになるデータを含むオープンＳＲＲ内で実行される。さらに詳しくは、データ上書きコマンドが与えられた（またはなされた）ＳＲＲ(ＳＲＲ ＃ｎ)内にＮＷＡが存在する場合、置き換え記録はこのＳＲＲ(ＳＲＲ ＃ｎ)のＮＷＡで実行される。上書きコマンドが与えられた（またはなされた）ＳＲＲが利用可能でないならば、たとえば、オープンＳＲＲがクローズトＳＲＲに変更（または修正）されたならば、置き換え記録は、隣のＳＲＲのＮＷＡで実行される。
【００２８】
したがって、上書きされることになるこのＳＲＲ(ＳＲＲ ＃ｎ)がクローズトＳＲＲである場合、置き換え記録は、ＳＲＲ(ＳＲＲ ＃ｎ)の前のオープンＳＲＲ(ＳＲＲ ＃ｎ−１)又は次のオープンＳＲＲ(ＳＲＲ ＃ｎ＋１)で実行される。また、未記録部分が、置き換え記録のために不適切および不十分であるかもしれないので、このＳＲＲ領域は利用可能でないかもしれない。言い換えると、ＳＲＲ(ＳＲＲ ＃ｎ) または隣接するＳＲＲ(ＳＲＲ＃ｎ＋１またはＳＲＲ＃ｎ−１)の残っている記録可能な領域は、不十分かもしれず、したがって、置き換え記録は一度も遂行されないかもしれない。
【００２９】
本発明の一実施形態において、このＳＲＲ又は隣接したＳＲＲの残っている記録可能領域が、置き換え記録を実行するのに充分でない場合、置き換え記録はその後、充分な記録可能（または書き込み可能）領域を有するＳＲＲ＃ｎに最も近いオープンＳＲＲにおいて実行される。上記のようにデータの置き換え記録が実行されると、置き換え記録された領域の連続性が保証される。さらに、上書き領域及び置き換え記録領域のアドレスが記録されるＲＡＤエントリ又は連続ＣＲＤエントリの浪費を防止することができる。
【００３０】
一方で、本発明の他の実施形態において、ＳＲＲ又は隣接したＳＲＲのための残っている記録可能領域が置き換え記録を実行するのに不十分な場合、置き換え記録は不十分な領域で実行され、残っているデータの置き換え記録は、次の隣接したオープンＳＲＲにおいて続けることができる。上記の方法を使用した場合、論理的上書きの置き換え記録情報を示すために、複数のＲＡＤ又はＣＲＤエントリが存在するかもしれない。さらに、本発明のさらに他の実施形態においても、論理的上書きの置き換え記録は、最初のオープンＳＲＲから始まって順次に実行される。さらに詳しくは、どのＳＲＲに論理的上書きが結び付けられるかに関係なく、置き換え記録は最初のオープＳＲＲから始まって実行される。
【００３１】
光ディスクドライバが、隣接したＳＲＲ上又は最初のオープンＳＲＲから始めて置き換え記録を実行する場合、最初のオープンＳＲＲ上の情報は、ＴＤＭＡ内に記録されたＳＲＲＩ(Sequential Recording Range Information)によって取得できる。これを、図６を参照して詳細に説明する。図６は、本発明の実施形態によるＳＲＲＩの構造を示す。図６によれば、ＴＤＭＡ内に記録されたＳＲＲＩは、「ＳＲＲＩヘッダ」フィールドと、「ＳＲＲエントリのリスト」フィールドと、「ＳＲＲＩターミネータ」フィールドとを含む。
【００３２】
「ＳＲＲＩヘッダ」フィールドは、「ＳＲＲ識別子が『ＳＲ』」フィールドと、「ＳＲＲエントリの番号」フィールドと、「オープンＳＲＲの番号」フィールドと、「オープンＳＲＲ番号のリスト」フィールドとを含む。ここで、後の処理で記述するＳＲＲエントリの数が「ＳＲＲエントリの番号」フィールドに記録される。オープンＳＲＲの数は、「オープンＳＲＲの番号」フィールドに記録され、オープンＳＲＲの番号リストは、「オープンＳＲＲ番号のリスト」フィールドに記録される。「オープンＳＲＲ番号のリスト」フィールドには、オープンＳＲＲ番号のリストが記録される。ここで、最大１６個まで割当て可能なオープンＳＲＲの番号リストが記録される。割り当てられたオープンＳＲＲの個数が１６個より少ない場合には、使用されないオープンＳＲＲ番号フィールドに“０”が記録される。ＳＲＲ番号は降順に並べられる。したがって、光ディスクドライバは、置き換え記録可能なオープンＳＲＲを検索して見つけるように論理的上書きを実行する時、「オープンＳＲＲ番号のリスト」フィールドを参照する。図６を参照してさらに詳しくは、論理的上書きが９番目のＳＲＲ(ＳＲＲ ＃９)の記録された領域において実行されることになる場合、データは、９番目のＳＲＲに置き換え記録されるか、または置き換え記録は、８番目のＳＲＲまたは１０番目のＳＲＲである隣接した(つまり最も近い)ＳＲＲで実行され、或いは置き換え記録は、１番目のＳＲＲから始まって実行できる。
【００３３】
ＳＲＲエントリのリストは、ＳＲＲＩの「ＳＲＲエントリのリスト」フィールドに記録される。ここで、ＳＲＲエントリは“１”から始まって順番に割り当てられ、記録される。この時点で、一つのＳＲＲエントリには８バイトが割り当てられ、特定の情報が記録される。ＳＲＲエントリは、「ＳＲＲ ＃ｎの最初のＰＳＮ」フィールドと、「セション開始」フィールドと、「ＳＲＲ ＃ｎ内のＬＲＡ」フィールドとを含む。さらに詳しくは、ＳＲＲ ＃ｎのスタート位置（または領域）のＰＳＮが２８ビットのサイズに割り当てられ、「ＳＲＲ＃ｎの最初のＰＳＮ」フィールドに記録される。また、「セション開始」フィールドは１ビットのサイズであり、ＳＲＲ ＃ｎの最後の記録位置ＬＲＡ(Last Recorded Area)は、２８ビットを有する「ＳＲＲ ＃ｎ内のＬＲＡ」フィールド内に記録される。
【００３４】
したがって、光ディスクドライバは、ＳＲＲエントリに含まれる情報を使用して、ＳＲＲに対応する記録領域の位置情報を確認する。次の書き込み可能な領域を含むＮＷＡは、「ＳＲＲ ＃ｎ内のＬＲＡ」フィールド情報を使用することによって決定できる。すなわち、「ＳＲＲ ＃ｎ内のＬＲＡ」に記録されたＰＳＮを使用することによって、次のクラスタの最初のセクタはＮＷＡになる。「ＳＲＲ ＃ｎ内のＬＲＡ」フィールドに既に“０”が記録されているならば、これは、ＳＲＲ ＃ｎにデータが記録されていないことを示す。したがって、「ＳＲＲ＃ｎの最初のＰＳＮ」フィールドに記録されたセクタはＮＷＡとなる。
【００３５】
上述のように、記録可能な高密度光ディスク内のデータの記録は、ＳＲＭタイプとＲＲＭタイプに広く分類できる。ＲＲＭタイプでは、データの記録は、全ての未記録クラスタでランダムに実行される。上記のＲＲＭタイプにおいて、ユーザデータ領域内のクラスタに対する記録された状態に関する情報は、スペースビットマップＳＢＭ(Space Bit Map)に反映される。さらに詳しくは、ＳＢＭは、対応する領域の記録情報を示すように、ユーザデータ領域のクラスタと１:１に一致するビットを含む。ＲＲＭタイプにおけるデータの論理的上書き方法は、図７を参照して説明する。
【００３６】
図７は、本発明の実施形態による、記録可能な光ディスクのＲＲＭタイプにおける論理的上書き方法を示す。図７によれば、ＲＲＭタイプにおいて、記録された領域上のデータを上書きするためにホストから上書きコマンドが伝達されると、記録領域に記録されることになるデータは、例えばスペア領域に置き換え記録される。ＲＲＭタイプの特性のために、データがユーザデータ領域のクラスタにランダムに記録されるため、ユーザデータ領域内の論理的上書きの置き換え記録を実行することは効率的でないかもしれない。したがって、ＲＲＭタイプにおいて、論理的上書きのデータは、ＯＳＡなどのスペア領域内に置き換え記録されるかもしれない。この時点で、スペア領域は欠陥領域の置き換え領域としても使用されているかもしれないので、スペア領域のサイズは光ディスクの初期化の間、充分に割り当て、配置することができる。
【００３７】
図８は、本発明の実施形態による光記録および再生装置のブロック図を示す。図８によれば、光記録および／または再生装置は、光ディスク上の記録および／または再生を実行する記録／再生デバイス１０と、記録／再生部１０を制御するホストまたは制御部２０を含む。（ここで、記録／再生デバイス１０はしばしば“光ディスクドライバ”と呼ばれ、両方の用語が、本明細書の記述において使用される。）
基本的に、上記の光記録および再生装置において、ホスト２０は、光ディスクの特定領域へ／からの書き込みまたは再生するための書き込みまたは再生コマンドを、記録／再生デバイス１０へ与え、記録／再生デバイス１０は、ホスト２０からのコマンドに応答して、光ディスク上の特定の領域へ／からの記録／再生を実行する。記録／再生デバイス１０は、ホスト２０とのデータ及びコマンドの交換などの通信を実行するインターフェース部１２と、光ディスクへ／から直接データを書き込み／読み出すピックアップ部１１と、ピックアップ部１１からの信号を受信して所望の信号値に復元するか、または記録されることになる信号を光ディスク上に記録されうる信号に変調するデータプロセッサ１３と、光ディスクから正確に信号を読み出すか、または光ディスクに信号を正確に記録するためにピックアップ部１１を制御するサーボ部１４と、管理情報およびデータを含む多様な情報を一時的に格納するメモリ１５と、記録／再生デバイス１０のさまざまな部分を制御するマイクロコンピュータ１６とを含む。
【００３８】
前述したように構成された本発明による光記録および／または再生装置において、記録可能な光ディスク上のデータを記録する方法の実施形態の処理ステップを説明する。記録可能な光ディスクを、光記録および／または再生装置へ挿入されると、管理情報が光ディスクから読み出され、記録／再生デバイス１０のメモリ１５に格納される。
【００３９】
ここで、ユーザが光ディスクの特定領域上に書き込みを望むならば、この望みを示す書き込みコマンドに応答するホスト２０は、書き込まれることになるデータセットに沿って、所望の書き込み位置上の情報を、記録／再生デバイス１０へ提供する。
【００４０】
記録／再生デバイス１０内のマイクロコンピュータ１６は、書き込みコマンドを受信し、(ｉ) 、ホスト２０が記録を所望する光ディスクの領域が、欠陥領域であるか否か、(ｉｉ)メモリ１５に格納された管理情報に基づいて領域が既に記録されているかどうかを決定する。次に、マイクロコンピュータ１６は、欠陥領域でも記録された領域でもない領域上にホスト２０からの書き込みコマンドによってデータ書き込みを実行する。例えば、この領域がクローズトＳＲＲにあるか、または書き込まれることになるＳＲＲのＬＲＡ以下のスタートアドレスを有するならば、この領域は既に記録された領域と判断される。
【００４１】
上記のデータの書き込みの実行中、ユーザコマンドに従って上書きが実行されるとき、重なる（または上書き）領域に記録される（または書き込まれる）ことになるデータは、
本発明の実施形態のうちの１つに関して上述したように、ユーザデータ領域又はスペア領域などのデータ領域内の他の領域に置き換え記録される。次に、この処理の間に生成されるＲＡＤ及びＣＲＤエントリを含む対応情報は、リードイン領域内のＴＤＭＡに記録される。このために、記録又は置き換え記録が、ピックアップ部１１を通してディスク上の所望の位置に完了するように、マイクロコンピュータ１６は、置き換え記録される領域の位置情報及びホストのコマンドに従うデータを、サーボ部１４及びデータプロセッサ１３へ提供する。
【００４２】
以降、本発明による光ディスクからの上記のように記録されたデータの再生方法を詳細に説明する。データが記録された追記型光ディスクが光記録および／または再生装置に挿入されると、光ディスクから管理情報が読み出され、これらの管理情報は光ディスクへ／からの記録／再生の時の使用のために、記録／再生デバイス１０のメモリ１５に格納される。
【００４３】
ここでユーザが光ディスクの特定領域からのデータの読み出し（または再生）を望むならば、この要望を示す読み出しコマンドに応答するホスト２０は、所望の読み出し位置の情報を、記録／再生デバイス１０へ提供する。記録／再生デバイス１０内のマイクロコンピュータ１６は、読み出しコマンドを受信し、管理情報を使用して、ホスト２０がデータを読み出されることを望む光ディスクの領域が、置き換えられた領域かどうかを決定する。もしそうならば、マイクロコンピュータ１６は、管理情報から置き換え領域の位置を確認する。しかし、置き換え記録が実行されていなかった場合、マイクロコンピュータ１６は、指定された領域のデータを読み出し（または再生）し、読み出した情報をホスト２０に伝送する。置き換え記録(例えば、ＲＡＤ／ＣＲＤタイプ)が実行されていた場合、マイクロコンピュータ１６は、決定された置き換え領域からデータを読み出し、読み出し情報をホスト２０に伝送する。
【００４４】
上記のように、本発明による記録可能高密度光ディスク上のデータを上書きするための方法および装置は、以下の利点を有する。追記型高密度光ディスクの記録モードによる、データの効率的な上書き方法を提供することによって、光ディスク内の記録された領域にデータを上書きする場合、追記型高密度光ディスクは、より効率的に管理及び再生できる。
【産業上の利用可能性】
【００４５】
本発明が、限られた数の実施形態に関して開示されてきた一方で、この開示による利益を有する当業者は、ここから膨大な修正および変更を認めるだろう。例えば、多くの場合でブルーレイ追加型光ディスクに関して説明した一方で、本発明は、追記型光ディスクのこの規格、追記型記録媒体、または記録媒体としての光ディスクに限られない。すべてのこのような修正および変更は本発明の精神および範囲内であることを意図する。
【図面の簡単な説明】
【００４６】
【図１】一般的な書換え可能な光ディスクの構造及び欠陥管理方法を示す。
【図２】本発明の実施形態による追記型光ディスクの論理的上書き方法を示す。
【図３】本発明の実施形態によって、追記型光ディスク内のオープンＳＲＲ上で行われる論理的上書きの一例を示す。
【図４】本発明によって、追記型記録可能な光ディスク内のクローズトＳＲＲ上で行われる論理的上書きの一例を示す。
【図５】本発明の実施形態によって、追記型光ディスクのＳＲＭに論理的上書きの間の方法を選択するＮＷＡを示す。
【図６】本発明の実施形態による、ＳＲＭのためのＳＲＲＩ構造を示す。
【図７】本発明の実施形態によるＲＲＭのための論理的上書き方法を示す。
【図８】本発明の実施形態による光記録および再生装置のブロック図である。
【図１】
2008503851.tif 000003
【図２】
2008503851.tif 000004
【図３】
2008503851.tif 000005
【図４】
2008503851.tif 000006
【図５】
2008503851.tif 000007
【図６】
2008503851.tif 000008
【図７】
2008503851.tif 000009
【図８】
2008503851.tif 000010
【国際調査報告】
2008503851.tif 000011
2008503851.tif 000012